(57)【要約】セカンダリノード（２）は、第１のセルから第２のセルへのセカンダリセルグループのプライマリセルの条件付きプライマリセル変更の実行条件を示す第１のRRCメッセージを、マスターノード（１）を介して無線端末（３）に送信する。さらに、セカンダリノード（２）は、当該実行条件の成立に応答して無線端末（３）から送られる第２のRRCメッセージを無線端末（３）からマスターノード（１）を介して受信する。これにより、例えば、セカンダリノードと無線端末との間のRRCシグナリングがマスターノードを介して行われるセカンダリセルグループのプライマリセルの条件付きプライマリセル変更の実行条件の成立を知ることをセカンダリノードに可能にできる。
2020144919.tif 000002
【特許請求の範囲】
【請求項１】
少なくとも１つのメモリと、
前記少なくとも１つのメモリに結合された少なくとも１つのプロセッサと、
を備え、
前記少なくとも１つのプロセッサは、
無線端末のためのデュアルコネクティビティのセカンダリノードとして動作し、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信し、
前記実行条件の成立に応答して前記無線端末から送られる第２のRRCメッセージを前記無線端末から前記マスターノードを介して受信する、
よう構成される、
無線アクセスネットワークノード。
【請求項２】
前記少なくとも１つのプロセッサは、前記第２のRRCメッセージを受信したことによって、前記条件付きプライマリセル変更の開始を検出するよう構成される、
請求項１に記載の無線アクセスネットワークノード。
【請求項３】
前記少なくとも１つのプロセッサは、前記第２のRRCメッセージを受信したことに応答して、前記セカンダリセルグループのサービングセルにおける前記無線端末へのダウンリンクデータ転送を停止するよう構成される、
請求項１又は２に記載の無線アクセスネットワークノード。
【請求項４】
前記無線アクセスネットワークノードは、基地局の中央ユニットであり、
前記少なくとも１つのプロセッサは、前記第２のRRCメッセージの受信に応答して、前記第１のセルを提供する第１の分散ユニットを介する前記無線端末へのダウンリンクデータ転送を停止するよう構成される、
請求項１〜３のいずれか１項に記載の無線アクセスネットワークノード。
【請求項５】
前記少なくとも１つのプロセッサは、さらに、前記第２のRRCメッセージの受信よりも前に、前記無線端末へ送信されていないダウンリンクデータを示す制御メッセージを前記第１の分散ユニットから受信したことに応答して、前記第１の分散ユニットを介する前記無線端末へのダウンリンクデータ転送を停止するよう構成される、
請求項４に記載の無線アクセスネットワークノード。
【請求項６】
前記制御メッセージは、DOWNLINK DATA DELIVERY STATUSフレームである、
請求項５に記載の無線アクセスネットワークノード。
【請求項７】
無線端末であって、
少なくとも１つのメモリと、
前記少なくとも１つのメモリに結合された少なくとも１つのプロセッサと、
を備え、
前記少なくとも１つのプロセッサは、
マスターノードに関連付けられたマスターセルグループ及びセカンダリノードに関連付けられたセカンダリセルグープのデュアルコネクティビティを行い、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信し、
前記実行条件の成立に応答して、第２のRRCメッセージを前記無線端末から前記マスターノードを介して前記セカンダリノードに送信する、
よう構成される、
無線端末。
【請求項８】
前記第２のRRCメッセージは、前記セカンダリセルグループのサービングセルにおける前記無線端末へのダウンリンクデータ転送を停止するよう前記セカンダリノードをトリガーする、
請求項７に記載の無線端末。
【請求項９】
無線アクセスネットワークノードのための方法であって、
無線端末のためのデュアルコネクティビティのセカンダリノードとして動作すること、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
前記実行条件の成立に応答して前記無線端末から送られる第２のRRCメッセージを前記無線端末から前記マスターノードを介して受信すること、
を備える、方法。
【請求項１０】
無線端末のための方法であって、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
前記実行条件の成立に応答して、第２のRRCメッセージを前記無線端末から前記マスターノードを介して前記セカンダリノードに送信すること、
を備える、方法。
【請求項１１】
無線アクセスネットワークノードのための方法をコンピュータに行わせるためのプログラムを格納した非一時的なコンピュータ可読媒体であって、
前記方法は、
無線端末のためのデュアルコネクティビティのセカンダリノードとして動作すること、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
前記実行条件の成立に応答して前記無線端末から送られる第２のRRCメッセージを前記無線端末から前記マスターノードを介して受信すること、
を備える、
非一時的なコンピュータ可読媒体。
【請求項１２】
無線端末のための方法をコンピュータに行わせるためのプログラムを格納した非一時的なコンピュータ可読媒体であって、
前記方法は、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
前記実行条件の成立に応答して、第２のRRCメッセージを前記無線端末から前記マスターノードを介して前記セカンダリノードに送信すること、
を備える、
非一時的なコンピュータ可読媒体。
【請求項１３】
少なくとも１つのメモリと、
前記少なくとも１つのメモリに結合された少なくとも１つのプロセッサと、
を備え、
前記少なくとも１つのプロセッサは、
無線端末のためのデュアルコネクティビティのセカンダリノードとして動作し、
第１のセルから第２のセルへのセカンダリセルグループのプライマリセルの条件付きプライマリセル変更の実行条件を示すRadio Resource Control（RRC）メッセージを、前記デュアルコネクティビティのマスターノードを介して前記無線端末に送信し、
前記実行条件の成立に応答して前記無線端末から送られる前記条件付きプライマリセル変更の実行又は開始の表示を、前記第１のセル又は前記セカンダリセルグループのいずれかのセカンダリセルにおいて前記無線端末から直接的に受信する、
よう構成される、
無線アクセスネットワークノード。
【請求項１４】
前記表示は、RRCレイヤよりも下位のレイヤのシグナリングを用いて送信される、
請求項１３に記載の無線アクセスネットワークノード。
【請求項１５】
前記シグナリングは、Medium Access Control（MAC）レイヤ又は物理レイヤのシグナリングである、
請求項１４に記載の無線アクセスネットワークノード。
【請求項１６】
無線端末であって、
少なくとも１つのメモリと、
前記少なくとも１つのメモリに結合された少なくとも１つのプロセッサと、
を備え、
前記少なくとも１つのプロセッサは、
マスターノードに関連付けられたマスターセルグループ及びセカンダリノードに関連付けられたセカンダリセルグープのデュアルコネクティビティを行い、
第１のセルから第２のセルへのセカンダリセルグループのプライマリセルの条件付きプライマリセル変更の実行条件を示すRadio Resource Control（RRC）メッセージを、前記マスターノードを介して前記セカンダリノードから受信し、
前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信する、
よう構成される、
無線端末。
【請求項１７】
前記少なくとも１つのプロセッサは、前記表示を、RRCレイヤよりも下位のレイヤのシグナリングを用いて送信するよう構成される、
請求項１６に記載の無線端末。
【請求項１８】
前記シグナリングは、Medium Access Control（MAC）レイヤ又は物理レイヤのシグナリングである、
請求項１７に記載の無線端末。
【請求項１９】
前記セカンダリノードは、中央ユニット及び１又はそれ以上の分散ユニットを含み、
前記少なくとも１つのプロセッサは、前記RRCメッセージを前記中央ユニットから前記マスターノードを介して受信するよう構成され、
前記少なくとも１つのプロセッサは、前記表示を前記第１のセル又は前記セカンダリセルグループのいずれかのセカンダリセルにおいて前記１又はそれ以上の分散ユニットのうちの１つに送信するよう構成される、
請求項１６〜１８のいずれか１項に記載の無線端末。
【請求項２０】
無線アクセスネットワークノードのための方法であって、
無線端末のためのデュアルコネクティビティのセカンダリノードとして動作すること、
第１のセルから第２のセルへのセカンダリセルグループのプライマリセルの条件付きプライマリセル変更の実行条件を示すRadio Resource Control（RRC）メッセージを、前記デュアルコネクティビティのマスターノードを介して前記無線端末に送信すること、及び
前記実行条件の成立に応答して前記無線端末から送られる前記条件付きプライマリセル変更の実行又は開始の表示を、前記第１のセル又は前記セカンダリセルグループのいずれかのセカンダリセルにおいて前記無線端末から直接的に受信すること、
を備える、方法。
【請求項２１】
無線端末のための方法であって、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示すRadio Resource Control（RRC）メッセージを、前記マスターノードを介して前記セカンダリノードから受信すること、及び
前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信すること、
を備える、方法。
【請求項２２】
無線アクセスネットワークノードのための方法をコンピュータに行わせるためのプログラムを格納した非一時的なコンピュータ可読媒体であって、
前記方法は、
無線端末のためのデュアルコネクティビティのセカンダリノードとして動作すること、
第１のセルから第２のセルへのセカンダリセルグループのプライマリセルの条件付きプライマリセル変更の実行条件を示すRadio Resource Control（RRC）メッセージを、前記デュアルコネクティビティのマスターノードを介して前記無線端末に送信すること、及び
前記実行条件の成立に応答して前記無線端末から送られる前記条件付きプライマリセル変更の実行又は開始の表示を、前記第１のセル又は前記セカンダリセルグループのいずれかのセカンダリセルにおいて前記無線端末から直接的に受信すること、
を備える、
非一時的なコンピュータ可読媒体。
【請求項２３】
無線端末のための方法をコンピュータに行わせるためのプログラムを格納した非一時的なコンピュータ可読媒体であって、
前記方法は、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示すRadio Resource Control（RRC）メッセージを、前記マスターノードを介して前記セカンダリノードから受信すること、及び
前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信すること、
を備える、
非一時的なコンピュータ可読媒体。
【発明の詳細な説明】
【技術分野】
【０００１】
本開示は、無線通信システムに関し、特に無線端末のモビリティに関する。
【背景技術】
【０００２】
非特許文献１及び２は、3GPPで議論されている条件付きハンドオーバ（conditional handover（CHO））について開示している。CHOのための幾つかの実装では、ソース無線アクセスネットワーク（radio access network（RAN））ノード（e.g., eNodeB（eNB））がハンドオーバ実行の条件（e.g., 閾値）を含むハンドオーバコマンドを無線端末（e.g., User Equipment（UE））に送信する。無線端末は、ハンドオーバコマンドの受信後もソースRANノードとのコネクションを維持し、ハンドオーバコマンドにより設定された条件（configured condition）が成立するとすぐにターゲットRANノードへのアクセスを開始する。すなわち、条件付きハンドオーバ（CHO）は、無線端末が、ハンドオーバコマンドの受信に応答してではなく、ハンドオーバコマンドにより設定された条件の成立に応答してターゲットセルへのアクセスを開始する点で、既存のハンドオーバと異なる。【０００３】
CHOは、早いイベント・トリガリング（つまり、無線端末による測定報告をトリガーする閾値を下げること）によって、UEへのハンドオーバコマンドのデリバリーの信頼性（reliability）を高めることができる。これにより、CHOは、ハンドオーバ失敗率（handover failure rate）を低減できる。【０００４】
なお、CHOでは、複数の候補ターゲットセルの設定が無線端末に送られてもよい。候補ターゲットセルは、潜在的（potential）ターゲットセルと呼ばれてもよい。例えば、無線端末は、複数の候補ターゲットセルの設定とCHO実行閾値とを含むハンドオーバコマンドをソースRANノード（e.g., eNB）から受信する。そして、無線端末は、設定された複数の候補ターゲットセルの測定を行い、いずれかの候補ターゲットセルでの測定がCHO実行閾値を満たす場合に当該候補セルへのアクセスを開始する。
【先行技術文献】
【非特許文献】
【０００５】
【非特許文献１】Intel Corporation, “Discussion of conditional handover”, R2-1816691, 3GPP TSG RAN WG2 Meeting #104, Spokane, WA, USA, November 12-16, 2018
【非特許文献２】MediaTek Inc., “Conditional Handover Procedures”, R2-1816959, 3GPP TSG RAN WG2 Meeting #104, Spokane, WA, USA, November 12-16, 2018
【発明の概要】
【発明が解決しようとする課題】
【０００６】
発明者等は、条件付きハンドオーバと類似した条件付きモビリティ動作をデュアルコネクティビティ（Dual Connectivity（DC））のセカンダリセルグープ（Secondary Cell Group（SCG））のプライマリセル（Primary SCG Cell（PSCell））のセル変更（PSCell change）に適用することを検討し、様々な課題を見出した。【０００７】
PSCellは、言い換えると、SCGのSpecial Cell（SpCell）である。UEは、ハンドオーバ手順（又はReconfiguration with Sync手順）を行うときに、PSCellにランダムアクセスを行う。SCGは、DCのセカンダリノード(Secondary Node（SN）)に関連付けられたサービングセル（serving cells）のグループであり、SpCell（i.e., PSCell）及び必要に応じて（optionally）１又はそれ以上のセカンダリセル（Secondary Cells（SCells））を含む。【０００８】
PSCell Change手順は、Reconfiguration with sync手順を伴う手順の一例である。このことから、条件付きPSCell Changeは、条件付きReconfiguration with sync（for PSCell change）と呼ぶこともできる。【０００９】
一例として、SNがPSCell changeのためにSN initiated SN Modification with MN involvement手順を使用するケースを考える。このケースでは、条件付きモビリティ（i.e., 条件付きPSCell change）のためのSNとUEとの間のRRCシグナリングは、マスターセルグループ（Master Cell Group（MCG））のシグナリング無線ベアラ（Signalling Radio Bearer（SRB））（e.g., SRB1）を介して送信される。MCGは、DCのマスターノード（Master Node（MN））によって提供されるサービングセル（serving cells）のグループである。このケースでは、条件付きPSCell changeの実行条件の成立（又は条件付きモビリティの開始）をSNがどのようにして知るのかが明確でない。【００１０】
本明細書に開示される実施形態が達成しようとする目的の１つは、条件付きPSCell変更の実行条件の成立（又は条件付きPSCell変更の開始）を知ることをSNに可能にすることに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１１】
第１の態様では、無線アクセスネットワークノードは、少なくとも１つのメモリ及び前記少なくとも１つのメモリに結合された少なくとも１つのプロセッサを含む。前記少なくとも１つのプロセッサは、無線端末のためのデュアルコネクティビティのセカンダリノードとして動作するよう構成される。前記少なくとも１つのプロセッサは、第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信するよう構成される。さらに、前記少なくとも１つのプロセッサは、前記実行条件の成立に応答して前記無線端末から送られる第２のRRCメッセージを前記無線端末から前記マスターノードを介して受信するよう構成される。【００１２】
第２の態様では、無線端末は、少なくとも１つのメモリ及び前記少なくとも１つのメモリに結合された少なくとも１つのプロセッサを含む。前記少なくとも１つのプロセッサは、マスターノードに関連付けられたマスターセルグループ及びセカンダリノードに関連付けられたセカンダリセルグープのデュアルコネクティビティを行うよう構成される。前記少なくとも１つのプロセッサは、第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信するよう構成される。さらに、前記少なくとも１つのプロセッサは、前記実行条件の成立に応答して、第２のRRCメッセージを前記無線端末から前記マスターノードを介して前記セカンダリノードに送信するよう構成される。【００１３】
第３の態様では、無線アクセスネットワークノードのための方法は、
（ａ）無線端末のためのデュアルコネクティビティのセカンダリノードとして動作すること、
（ｂ）第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
（ｃ）前記実行条件の成立に応答して前記無線端末から送られる第２のRRCメッセージを前記無線端末から前記マスターノードを介して受信すること、
を含む。【００１４】
第４の態様では、無線端末のための方法は、
（ａ）マスターノードに関連付けられたマスターセルグループ及びセカンダリノードに関連付けられたセカンダリセルグープのデュアルコネクティビティを行うこと、
（ｂ）第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
（ｃ）前記実行条件の成立に応答して、第２のRRCメッセージを前記無線端末から前記マスターノードを介して前記セカンダリノードに送信すること、
を含む。【００１５】
第５の態様では、無線アクセスネットワークノードは、少なくとも１つのメモリ及び前記少なくとも１つのメモリに結合された少なくとも１つのプロセッサを含む。前記少なくとも１つのプロセッサは、無線端末のためのデュアルコネクティビティのセカンダリノードとして動作するよう構成される。前記少なくとも１つのプロセッサは、第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信するよう構成される。さらに、前記少なくとも１つのプロセッサは、前記実行条件の成立に応答して前記無線端末から送られる前記条件付きプライマリセル変更の実行又は開始の表示を、前記第１のセカンダリセル又は前記セカンダリセルグループのいずれかのセカンダリセルにおいて前記無線端末から直接的に受信するよう構成される。【００１６】
第６の態様では、無線端末は、少なくとも１つのメモリ及び前記少なくとも１つのメモリに結合された少なくとも１つのプロセッサを含む。前記少なくとも１つのプロセッサは、マスターノードに関連付けられたマスターセルグループ及びセカンダリノードに関連付けられたセカンダリセルグープのデュアルコネクティビティを行うよう構成される。前記少なくとも１つのプロセッサは、第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信するよう構成される。さらに、前記少なくとも１つのプロセッサは、前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信するよう構成される。【００１７】
第７の態様では、無線アクセスネットワークノードのための方法は、
（ａ）無線端末のためのデュアルコネクティビティのセカンダリノードとして動作すること、
（ｂ）第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
（ｃ）前記実行条件の成立に応答して前記無線端末から送られる前記条件付きプライマリセル変更の実行又は開始の表示を、前記第１のセル又は前記セカンダリセルグループのいずれかのセカンダリセルにおいて前記無線端末から直接的に受信すること、
を含む。【００１８】
第８の態様では、無線端末のための方法は、
（ａ）マスターノードに関連付けられたマスターセルグループ及びセカンダリノードに関連付けられたセカンダリセルグープのデュアルコネクティビティを行うこと、
（ｂ）第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
（ｃ）前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信すること、
を含む。【００１９】
第９の態様では、プログラムは、コンピュータに読み込まれた場合に、上述の第３、第４、第７、又は第８の態様に係る方法をコンピュータに行わせるための命令群（ソフトウェアコード）を含む。
【発明の効果】
【００２０】
上述の態様によれば、条件付きPSCell変更の実行条件の成立（又は条件付きPSCell変更の開始）を知ることをSNに可能にすることに寄与する装置、方法、及びプログラムを提供できる。
【図面の簡単な説明】
【００２１】
【図１】第１の実施形態に係る無線通信ネットワークの構成例を示す図である。
【図２】第１の実施形態に係るシグナリングの一例を示すシーケンス図である。
【図３】第１の実施形態に係るセカンダリノードによって行われる処理の一例を示すフローチャートである。
【図４】第１の実施形態に係る無線端末によって行われる処理の一例を示すフローチャートである。
【図５】第２の実施形態に係るセカンダリノードの構成例を示す図である。
【図６】第２の実施形態に係るシグナリングの一例を示すシーケンス図である。
【図７】第３の実施形態に係るシグナリングの一例を示すシーケンス図である。
【図８】幾つかの実施形態に係るセカンダリノードの構成例を示すブロック図である。
【図９】幾つかの実施形態に係る無線端末の構成例を示すブロック図である。
【発明を実施するための形態】
【００２２】
以下では、具体的な実施形態について、図面を参照しながら詳細に説明する。各図面において、同一又は対応する要素には同一の符号が付されており、説明の明確化のため、必要に応じて重複説明は省略される。
【００２３】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００２４】
以下に示される複数の実施形態は、3GPP Long Term Evolution (LTE)システム及び第5世代移動通信システム（5G system）を主な対象として説明される。しかしながら、これらの実施形態は、デュアルコネクティビティをサポートする他の無線通信システムに適用されてもよい。なお、本明細書で使用されるLTEとの用語は、特に断らない限り、5G Systemとのインターワーキングを可能とするためのLTE及びLTE-Advancedの改良・発展を含む。さらに、5G Systemは、NR (New Radio)に加えて、LTE eNodeB (eNB)が5Gコアネットワーク（5GC）と接続するネットワーク構成を含む。このときのLTE eNBは、Next generation (ng)-eNBとも呼ばれる。ng-eNBは、5GCと接続しているeNBということでeNB/5GCとも呼ばれる。
【００２５】
＜第１の実施形態＞
図１は、本実施形態に係る無線通信ネットワークの構成例を示している。本実施形態に係る無線通信ネットワークは、マスターノード（MN）１及びセカンダリノード（SN）２を含む。MN１及びSN２は、ノード間インタフェース１０３を介して互いに通信する。UE３は、エアインタフェース１０１及び１０２を介してMN1及びSN２と通信し、マスターセルグループ（MCG）及びセカンダリセルグループ（SCG）のデュアルコネクティビティを行う。MCGは、MN１に関連付けられた（又は提供される）サービングセルのグループであり、SpCell（i.e., プライマリセル（Primary Cell（PCell）））及び必要に応じて（optionally）１又はそれ以上のセカンダリセル（Secondary Cells（SCells））を含む。一方、SCGは、SN２に関連付けられた（又は提供される）サービングセルのグループであり、SCGのプライマリセル（つまりプライマリSCGセル（Primary SCG Cell （PSCell）））及び必要に応じて（optionally）１又はそれ以上のセカンダリセル（Secondary Cells（SCells））を含む。PSCellは、SCGのSpecial Cell（SpCell）である。
【００２６】
MN１及びSN２の各々は、Evolved Universal Mobile Telecommunications System (UMTS) Terrestrial Radio Access Network（EUTRAN）ノード又はNG-RAN（Next generation Radio Access Network）ノードであってもよい。EUTRANノードは、eNB又はen-gNBであってもよい。NG-RANノードは、gNB又はng-eNBであってもよい。MN１のRadio Access Technology（RAT）は、SN２のそれと異なっていてもよい。
【００２７】
DCは、Multi-Radio Dual Connectivity (MR-DC)であってもよい。MR-DCは、Evolved Universal Mobile Telecommunications System (UMTS) Terrestrial Radio Access (E-UTRA)-NR Dual Connectivit (EN-DC)、NR-E-UTRA DC（NE-DC）、NG-RAN EN-DC（NGEN-DC）、及びNR-NR DC（NR DC）を含む。
【００２８】
図２は、セカンダリセルグループのプライマリセル（i.e., PSCell）の条件付きプライマリセル変更（つまり、条件付きPSCell Change）のためのシグナリングの一例を示している。既に述べたように、条件付きPSCell Changeは、条件付きReconfiguration with sync（for PSCell change）と呼ぶこともできる。図２は、MR-DCでのPSCell ChangeにMN１（e.g., Master eNB（MeNB））が関与（involve）するケースを示している。すなわち、図２の例では、PSCell ChangeのためにSN２（e.g., Secondary gNB（SgNB））とUE３との間で送信されるRRCシグナリングは、MN１によって提供されるMCG内のSRB（e.g., SRB1）を使用する。
【００２９】
図２の手順よりも前に、SN２は、条件付きPSCell Changeのための報告設定（e.g., ReportConfig）を包含する測定設定（e.g., MeasConfig）を含むRRCメッセージ（e.g., RRCReconfigurationメッセージ）を生成し、これをMN１により提供されるMCG SRB経由でUE３へ送信してもよい。条件付きPSCell Changeのための測定設定は、条件付きPSCell Change判定のために早いイベント・トリガリング（つまり、UE３による測定報告をトリガーする閾値を下げること）を可能にする。さらに、UE３は、測定報告（Measurement Report）をMN１を介してSN２に送ってもよい。SN２は、受信した測定報告に基づいて、UE３のPSCellを現在のセルから他のSCGセル又はSN２の他のセルに変更するための条件付きPSCell Changeを決定してもよい。
【００３０】
ステップ２０１では、SN２は、SN２によって生成されたSN RAT（e.g., NR）のRRCメッセージ（e.g., RRC Reconfigurationメッセージ）を含むSN MODIFICATION REQUIREDメッセージをMN１に送る。当該RRCメッセージは、条件付きPSCell change（又は条件付きReconfiguration with sync for PSCell change）の開始（又は実行）条件を含む。条件付きPSCell changeの開始（又は実行）条件は、例えば、閾値及び対応するtime-to-trigger（TTT）を含む。これに代えて、条件付きPSCell changeの開始（又は実行）条件は、ネットワークからの明示的な実行指示（e.g., 所定のシグナリング）の受信であってもよい。この場合、当該実行指示の受信に使用される設定（e.g., 無線パラメータ）のUE３による受信は、条件付きPSCell changeの開始（又は実行）条件が当該実行指示の受信であることを、UE３に暗示的に示してもよい。言い換えると、UE３は当該設定（e.g., 無線パラメータ）を受信した場合、それに関連付けられた条件付きPSCell changeの開始（又は実行）条件が当該実行指示（e.g., 所定のシグナリング）の受信であると判定（又は理解）してもよい。
【００３１】
さらに、当該RRCメッセージは、UE３が条件付きPSCell changeを離れる（exit）条件（e.g., offset）、及び有効（validity）タイマの値を含んでもよい。有効タイマの値は、候補ターゲットセル（つまり変更後のPSCellの候補となるセル）のリソースがいつまで有効であるかを示してもよい。あるいは、有効タイマの値は、候補ターゲットセルへのアクセスが許可される期間（時間）、又は条件付きPSCell changeのための設定が有効な期間（時間）を示してもよい。
【００３２】
もしデータフォワーディング若しくはSNセキュリティキーの変更又は両方が適用される必要があるなら、MN１は、MN initiated SN Modification手順を行い、フォワーディングアドレス若しくは新たなSNセキュリティキー情報又は両方をSN Modification Requestメッセージを用いてSN２に適用してもよい。SN２は、それに応答して再びRRCメッセージ（e.g., RRC Reconfigurationメッセージ）を生成し、これをSN Modification Request Acknowledgeメッセージを用いてMN１に送信してもよい。
【００３３】
ステップ２０２では、MN１は、MCG SRBを介したMN RAT（e.g., LTE）のRRC再設定手順（e.g., LTE RRC Connection Reconfigurtion手順）を行い、SN２から受信したSN RATのRRCメッセージをUE３にフォワードする。MN１は、SN２から受信したSN RATのRRCメッセージを運ぶMN RATのRRCメッセージ（e.g., LTE RRC Connection Reconfigurtionメッセージ）をMCG SRBを介してUE３に送信してもよい。
【００３４】
UE３は、SN RATのRRCメッセージ（ステップ２０２）の受信後も現在（つまり変更前）のPSCellの設定を維持し、当該PSCellを使用する。UE３は、SN RATのRRCメッセージ（ステップ２０２）により設定された条件付きPSCell change（i.e., 条件付きReconfiguration with sync）の実行条件が成立したことに応じて（ステップ２０３）、SN２宛てのSN RATのRRC応答メッセージ（e.g., NR RRC Reconfiguration Completeメッセージ）を包含するMN RATのRRC応答メッセージ（e.g., LTE RRC Connection Reconfigurtion Completeメッセージ）をMN１に送る（ステップ２０４）。そして、UE３は、新たなPSCell設定を適用し、ターゲットPSCellへのアクセス（i.e., ランダムアクセス手順）を開始する。
【００３５】
ステップ２０５では、MN１は、SN MODIFICATION CONFIRMメッセージによりSN２に応答する。当該SN MODIFICATION CONFIRMメッセージは、UE３から受信したSN RATのRRC応答メッセージ（e.g., RRC Reconfiguration Completeメッセージ）を包含する。
【００３６】
図２の手順では、UE３は、条件付きPSCell changeの実行条件が成立したことに応じて、SN２宛てのRRC応答メッセージ（e.g., RRC Reconfiguration Completeメッセージ）をMN１を介してSN２に送るよう動作する。これにより、当該RRC応答メッセージは、条件付きPSCell changeの開始（実行）をSN２に報告する用途を兼ねることができる。SN２は、当該RRC応答メッセージを受信したことによって、条件付きPSCell changeの開始を検出することができる。
【００３７】
SN２は、UE３からのRRC応答メッセージの受信に応答して、変更前のPSCellを介するUE３へのダウンリンクデータ転送を停止してもよい。言い換えると、UE３からのRRC応答メッセージは、変更前のPSCellを介するUE３へのダウンリンクデータ転送を停止するようSN２をトリガーしてもよい。これにより、SN２は、条件付きPSCell changeの開始（又は実行）の直前まで現在（つまり、変更前）のPSCell（及び現在のSCGの他のサービングセル（i.e. SCG SCell(s)））においてUE３のためのデータ伝送（ダウンリンク、又はアップリンク、又は両方）を継続できる。
【００３８】
図２の手順では、UE３は、複数の候補ターゲットセル（つまり変更後のPSCellの候補となるセル）から選択された１つのセルにPSCellを変更してもよい。例えば、図２のステップ２０３では、UE３は、条件付きPSCell changeの実行条件が複数のターゲットセルのうちいずれか１つについて成立したことを判定してもよい。そして、UE３は、選択された候補ターゲットセル（つまり、条件付きPSCell Changeがトリガーされたセル）を明示的又は暗示的に示す情報を、SN２宛てのSN RATのRRC応答メッセージ（ステップ２０４）に含めてもよい。
【００３９】
図３は、SN２の動作の一例を示すフローチャートである。ステップ３０１では、SN２は、条件付きPSCell changeの実行条件を示すRRCメッセージをMN１を介してUE３に送る。ステップ３０２では、SN２は、条件付きPSCell changeの実行条件の成立に応答してUE３から送られるRRC応答メッセージを、UE３からMN１を介して受信する。
【００４０】
ステップ３０２の後に、SN２は、UE３からのRRC応答メッセージの受信に応答して、変更前のPSCellを介するUE３へのダウンリンクデータ転送を停止してもよい。
【００４１】
図４は、UE３の動作の一例を示すフローチャートである。ステップ４０１では、UE３は、条件付きPSCell changeの実行条件を示すRRCメッセージをMN１を介してSN２から受信する。ステップ４０２では、UE３は、条件付きPSCell changeの実行条件の成立に応答して、RRC応答メッセージをMN１を介してSN２に送る。当該RRC応答メッセージは、選択された候補ターゲットセル（つまり、条件付きPSCell Changeがトリガーされたセル）を明示的又は暗示的に示す情報を含んでもよい。
【００４２】
本実施形態で説明されたMN１、SN２、及びUE３の動作によれば、SN２とUE３との間のRRCシグナリングがMN１を介して行われる条件付きPSCell変更の実行条件の成立（又は条件付きPSCell変更の開始）を知ることをSN２に可能にできる。
【００４３】
本実施形態では、UE３は、さらに以下のように動作してもよい。UE３は、条件付きPSCell changeを離れる（exit）条件（e.g., offset）が成立したなら又は前述の有効（validity）タイマが満了したなら、これに起因して条件付きPSCell changeが行われなかったこと（不実行）又は失敗したことを示す終了情報をMN１を介してSN２へ送信してもよい。例えば、UE３は、図２のステップ２０４の動作に代えて、以下のように動作してもよい。UE３は、前述の条件付きPSCell changeを離れる（exit）条件（e.g., offset）が成立したなら又は前述の有効（validity）タイマが満了したなら、これに応じてSN RATのRRCメッセージ（e.g., NR RRC Reconfiguration Complete）を包含するMN RATのRRCメッセージ（e.g., LTE RRC Connection Reconfiguration Completeメッセージ）をMN１（e.g. MeNB）へ送信してもよい。この場合、MN RATのRRCメッセージ又はこれに包含されるSN RATのRRCメッセージは、条件付きPSCell changeの不実行又は失敗を示す終了情報を含んでもよい。MN１は、UE３から受信したSN RATのRRCメッセージをSN２（e.g. SgNB）へ送ってもよい。SN２は、このSN RATのRRCメッセージをMN１から受信すると（それに応答して）、準備していた候補ターゲットセルの設定およびリソースを解放してもよい。
【００４４】
当該終了情報は、さらに、条件付きPSCell changeの不実行又は失敗がexit条件の成立と有効タイマの満了どちらに起因するかを区別するための情報（例えば、要因（cause））を含んでもよい。
【００４５】
複数の候補ターゲットセルがある場合、且つexit条件または有効タイマの値の少なくとも一方がセル毎に設定される場合には、UE３は、全ての候補ターゲットセルについてexit条件を満たしたこと（又は有効タイマが満了したこと）に応答して終了情報を包含するSN RAT RRCメッセージを送信してもよい。これに代えて、UE３は、いずれかの候補ターゲットセルについてexit条件を満たしたこと（又は有効タイマが満了したこと）に応答して終了情報を包含するSN RAT RRCメッセージを送信してもよい。後者の場合、UE３は、exit条件を満たした（又は有効タイマが満了した）候補ターゲットセル（最初の１つ、または同時若しくはほぼ（実質的に）同時に条件を満たした複数のセル）を示す情報を、SN RAT RRCメッセージに含めてもよい。
【００４６】
＜第２の実施形態＞
本実施形態は、第１の実施形態で説明された条件付きPSCell changeの具体例を提供する。本実施形態に係る無線通信ネットワークの構成例は、図１に示された例と同様であってもよい。ただし、本実施形態では、cloud RAN（C-RAN）配置（deployment）がSN２に適用される。C-RANでは、RANノード（e.g., eNB、又はNR gNodeB（gNB））は、Central Unit（CU）と１又はそれ以上のDistributed Units（DUs）から構成される。C-RAN は、Centralized RANと呼ばれることもあるし、CU-DU split architectureと呼ばれることもある。
【００４７】
図５は、本実施形態に係るSN２の構成例を示している。図５のSN２は、CU２１、及び１又はそれ以上のDUs２２を含む。CU２１及び各DU２２の間はインタフェース５０１によって接続される。UE３は、少なくとも１つのエアインタフェース５０２を介して、少なくとも１つのDU２２に接続される。
【００４８】
CU２１は、gNBのRadio Resource Control（RRC）、Service Data Adaptation Protocol（SDAP）、及びPacket Data Convergence Protocol（PDCP）protocols（又はgNBのRRC及びPDCP protocols）をホストする論理ノードであってもよい。DU２２は、gNBのRadio Link Control（RLC）、Medium Access Control（MAC）、及びPhysical（PHY）layersをホストする論理ノードであってもよい。CU２１がgNB-CUでありDUs２２がgNB-DUsであるなら、インタフェース５０１はF1インタフェースであってもよい。
【００４９】
CU２１は、Control Plane （CP）Unit（e.g., gNB-CU-CP）及び１又はそれ以上のUser Plane（UP）Unit（e.g., gNB-CU-UP）を含んでもよい。
【００５０】
図６は、intra-CU inter-DU 条件付きPSCell Change手順の一例を示している。既に述べたように、条件付きPSCell Changeは、条件付きReconfiguration with sync（for PSCell change）と呼ぶこともできる。図６は、MR-DCでのPSCell ChangeにMN１（e.g., Master eNB（MeNB））が関与（involve）するケースを示している。図６の例では、UE３のためのPSCellがソースDU２２ＡのセルからターゲットDU２２Ｂのセルに変更される。PSCell ChangeのためにSN２（i.e., CU２１）とUE３との間で送信されるRRCシグナリングは、MN１によって提供されるMCG内のSRBを使用する。
【００５１】
図６の手順よりも前に、SN２（i.e., CU２１）は、条件付きPSCell Changeのための報告設定（e.g., ReportConfig）を包含する測定設定（e.g., MeasConfig）を含むRRCメッセージ（e.g., RRCReconfigurationメッセージ）を生成し、これをMN１により提供されるMCG SRB経由でUE３へ送信してもよい。条件付きPSCell Changeのための測定設定は、条件付きPSCell Change判定のために早いイベント・トリガリング（つまり、UE３による測定報告をトリガーする閾値を下げること）を可能にする。さらに、UE３は、測定報告（Measurement Report）をMN１を介してSN２（i.e., CU２１）に送ってもよい。SN２（i.e., CU２１）は、受信した測定報告に基づいて、UE３のPSCellを現在のSN配下のセルから他のSN配下のセルに変更するための条件付きPSCell Changeを決定してもよい。
【００５２】
ステップ６０１では、CU２１は、UEコンテキストを作成し且つ１又はそれ以上のベアラをセットアップするために、UE CONTEXT SETUP REQUESTメッセージをターゲットDU２２Ｂに送る。UE CONTEXT SETUP REQUESTメッセージは、PSCellの無線リソースの設定（e.g., CellGroupConfig）をターゲットDU２２Ｂに要求してもよい。条件付きPSCell changeの要求であることを示すために、UE CONTEXT SETUP REQUESTメッセージ内の“CU to DU RRC Information”情報要素に包含されている“CG-ConfigInfo”情報要素が使用されてもよい。これに代えて、条件付きモビリティ要求であることを示すために、UE CONTEXT SETUP REQUESTメッセージ内に新たな情報要素が定義されてもよい。
【００５３】
ステップ６０２では、ターゲットDU２２Ｂは、UE CONTEXT SETUP RESPONSEメッセージによりCU２１に応答する。ターゲットDU２２Ｂは、条件付きPSCell Change要求の受信に応答して、条件付きPSCell Changeを受け入れ可能であるか否かを判定してもよい。ターゲットDU２２Ｂは、条件付きPSCell Changeを受け入れ可能であるか否かを示す情報要素をUE CONTEXT SETUP RESPONSEメッセージ（ステップ６０２）に含めてもよい。
【００５４】
ステップ６０３では、CU２１は、CU２１によって生成されたRRCメッセージ（e.g., RRC Reconfigurationメッセージ）を含むSN MODIFICATION REQUIREDメッセージをMN１に送る。当該RRCメッセージは、条件付きPSCell change（又は条件付きReconfiguration with sync for PSCell change）の開始（又は実行）条件（e.g., 閾値及びTTT）を含む。さらに、当該RRCメッセージは、UE３が条件付きPSCell changeを離れる（exit）条件（e.g., offset）、及び有効（validity）タイマの値を含んでもよい。有効タイマの値は、候補ターゲットセル（つまり変更後のPSCellの候補となるセル）のリソースがいつまで有効であるかを示してもよい。あるいは、有効タイマの値は、候補ターゲットセルへのアクセスが許可される期間（時間）、又は条件付きPSCell changeのための設定が有効な期間（時間）を示してもよい。
【００５５】
より具体的には、CU２１は、条件付きPSCell changeの開始条件を決定し、これをUE CONTEXT SETUP REQUESTメッセージ（ステップ６０１）に包含されるCG-ConfigInfo情報要素又は新規な情報要素に含めてもよい。そして、ターゲットDU２２Ｂは、条件付きPSCell changeの開始条件を包含する無線リソースの設定（e.g., CellGroupConfig）を生成し、これをUE CONTEXT SETUP RESPONSEメッセージ（ステップ６０２）に含めてもよい。さらに、CU２１は、受信した無線リソースの設定（e.g., CellGroupConfig）を包含するRRCメッセージ（e.g., NR RRCReconfiguraionメッセージ）を生成し、これをSN MODIFICATION REQUIREDメッセージ（ステップ６０３）に含めてもよい。CU２１は、ステップ６０１で、条件付きPSCell changeの開始条件とともに、UE３が条件付きPSCell changeを離れる条件及び有効タイマの値のいずれか一方又は両方をDU２２Ｂに送信してもよい。そして、DU２２Ｂは、それらを条件付きPSCell changeの開始条件を包含する無線リソースの設定（e.g., CellGroupConfig）に含め、これをCU２１へ送信してもよい。
【００５６】
これに代えて、CU２１は、条件付きPSCell changeの開始条件を決定し、これをSN MODIFICATION REQUIREDメッセージ（ステップ６０３）内の新規情報要素に含めてもよい。CU２１は、UE３が条件付きPSCell changeを離れる条件及び有効タイマの値のいずれか一方又は両方をさらに当該メッセージに含めてもよい。
【００５７】
さらにこれに代えて、ターゲットDU２２Ｂが条件付きPSCell changeの開始条件を決定してもよい。この場合、ターゲットDU２２Ｂは、条件付きPSCell change要求（ステップ６０１）に応答して条件付きPSCell changeの開始条件を決定し、決定した開始条件をUE CONTEXT SETUP RESPONSEメッセージ（ステップ６０２）内のCellGroupConfig情報要素又は新規情報要素に含めてもよい。そして、CU２１は、条件付きPSCell changeの開始条件を含むCellGroupConfig情報要素又は新規情報要を包含するRRCメッセージを生成し、これをSN MODIFICATION REQUIREDメッセージ（ステップ６０３）に含めてもよい。DU２２は、UE３が条件付きPSCell changeを離れる条件及び有効タイマの値のいずれか一方又は両方をさらに決定し、これらをCU２１へのRRCメッセージに含めてもよい。
【００５８】
もしデータフォワーディング若しくはSNセキュリティキーの変更又は両方が適用される必要があるなら、MN１は、MN initiated SN Modification手順を行い、フォワーディングアドレス若しくは新たなSNセキュリティキー情報又は両方をSN Modification Requestメッセージを用いてSN２（i.e., CU２１）に適用してもよい。
【００５９】
ステップ６０４では、CU２１は、UE CONTEXT MODIFICATION REQUESTメッセージをソースDU２２Ａに送る。当該メッセージは、条件付きPSCell changeの表示を含む。
【００６０】
ステップ６０５では、ソースDU２２Ａは、UE CONTEXT MODIFICATION RESPONSEメッセージによりCU２１に応答する。
【００６１】
ステップ６０６では、MN１は、MCG SRBを介したRRC (Connection) Reconfigurtion手順を行い、CU２１から受信したRRCメッセージをUE３にフォワードする。MN１は、CU２１から受信したRRCメッセージを運ぶRRC (Connection) ReconfigurtionメッセージをMCG SRBを介してUE３に送信してもよい。
【００６２】
UE３は、RRCメッセージ（ステップ６０６）の受信後も変更前のPSCellの設定を維持し、ソースDU２２Ａにより提供される変更前のPSCellを使用する。UE３は、RRCメッセージ（ステップ６０６）により設定された条件付きPSCell change（i.e., 条件付きReconfiguration with sync）の実行条件が成立したことに応じて（ステップ６０７）、新たなPSCell設定を適用し、SN２（i.e., CU２１）宛てのRRC応答メッセージを包含するRRC (Connection) Reconfigurtion CompleteメッセージをMN１に送る（ステップ６０８）。そして、UE３は、変更後のPSCell（i.e., ターゲットDU２２Ｂにより提供されるセル）へのアクセス（i.e., ランダムアクセス手順）を開始する（ステップ６１０）。
【００６３】
ステップ６０９では、MN１は、SN MODIFICATION CONFIRMメッセージによりSN２（i.e., CU２１）に応答する。当該SN MODIFICATION CONFIRMメッセージは、UE３から受信したRRC応答メッセージメッセージを包含する。
【００６４】
図６の手順では、UE３は、条件付きPSCell changeの実行条件が成立したことに応じて、SN２（i.e., CU２１）宛てのRRC応答メッセージをMN１を介してSN２（i.e., CU２１）に送るよう動作する。これにより、当該RRC応答メッセージは、条件付きPSCell changeの開始（実行）をSN２（i.e., CU２１）に報告する用途を兼ねることができる。SN２（i.e., CU２１）は、当該RRC応答メッセージを受信したことによって、条件付きPSCell changeの開始を検出することができる。
【００６５】
SN２（i.e., CU２１）は、UE３からのRRC応答メッセージの受信に応答して、ソースDU２２Ａを介するUE３へのダウンリンクデータ転送を停止してもよい。言い換えると、UE３からのRRC応答メッセージは、変更前のPSCellを介するUE３へのダウンリンクデータ転送を停止するようSN２（i.e., CU２１）をトリガーしてもよい。これにより、SN２（i.e., CU２１）は、条件付きPSCell changeの開始（又は実行）の直前まで変更前のPSCell（及び現在のSCGの他のサービングセル（i.e. SCG SCell(s)））においてUE３のためのデータ伝送（ダウンリンク、又はアップリンク、又は両方）を継続できる。
【００６６】
なお、SN２（i.e., CU２１）は、UE３からのRRC応答メッセージの受信よりも前に、UE３へ送信されていないダウンリンクデータを示す制御メッセージをソースDU２２Ａから受信したことに応答して、ソースDU２２Ａを介するUE３へのダウンリンクデータ転送を停止してもよい。当該制御データは、UE３へ送信されていないダウンリンクデータを示すためにCU２１に送信されるメッセージ（又はフレーム、又はProtocol Data Unit（PDU））であってもよい。より具体的には、当該制御メッセージは、DOWNLINK DATA DELIVERY STATUS（DDDS）フレームであってもよい。DDDSフレームは、GTP-U（又はF1-U）PDUであってもよい。
【００６７】
本実施形態で説明されたMN１、SN２（CU２１、ソースDU２２Ａ、及びターゲットDU２２Ｂ）、及びUE３の動作によれば、SN２とUE３との間のRRCシグナリングがMN１を介して行われる条件付きPSCell変更の実行条件の成立（又は条件付きPSCell変更の開始）を知ることをSN２に可能にできる。なお、本実施形態は、intra-CU inter-DU 条件付きPSCell Change手順を例に説明されたが、intra-CU intra-DU 条件付きPSCell Change手順にも適用または再利用することができる。
【００６８】
本実施形態では、第１の実施形態で述べたのと同様に、UE３は、条件付きPSCell changeを離れる（exit）条件（e.g., offset）が成立したなら又は前述の有効（validity）タイマが満了したなら、これに起因して条件付きPSCell changeが行われなかったこと（不実行）又は失敗したことを示す終了情報をMN１を介してSN２（i.e., CU２１）へ送信してもよい。例えば、UE３は、図６のステップ６０８動作に代えて、以下のように動作してもよい。UE３は、前述の条件付きPSCell changeを離れる（exit）条件（e.g., offset）が成立したなら又は前述の有効（validity）タイマが満了したなら、これに応じてSN２（i.e., CU２１）宛てのRRC応答メッセージを包含するRRC (Connection) Reconfigurtion CompleteメッセージをMN１へ送信してもよい。この場合、RRC (Connection) Reconfigurtion Complete又はこれに包含されるSN２（i.e., CU２１）宛てのRRC応答メッセージは、条件付きPSCell changeの不実行又は失敗を示す終了情報を含んでもよい。さらに、CU２１は、ターゲットDU２２Ｂのセルへの条件付きPSCell changeが行われなかったこと（又は失敗したこと）を示す情報をターゲットDU２２Ｂに送ってもよい。CU２１は、当該情報を、CU To DU RRC Information IEまたはF1AP新規IEで送ってもよい。これに応答して、ターゲットDU２２Ｂは、準備していた候補ターゲットセルの設定およびリソースを解放してもよい。
【００６９】
＜第３の実施形態＞
本実施形態は、条件付きPSCell Changeのためのシグナリングの他の例を提供する。本実施形態に係る無線通信ネットワークの構成例は、図１に示された例と同様であってもよい。
【００７０】
本実施形態では、SN２は、条件付きPSCell changeの実行条件を示すRRCメッセージをMN１を介してUE３に送る。一方、SN２は、条件付きPSCell changeの実行条件の成立に応答してUE３から送られる条件付きPSCell changeの実行（又は開始）の表示を、現在（つまり、変更前）のPSCell（又はSCG SCell）においてUE３から直接的に受信する。
【００７１】
本実施形態は、UE３は、条件付きPSCell changeの実行条件を示すRRCメッセージをMN１を介してSN２から受信する。一方、UE３は、条件付きPSCell changeの実行条件の成立に応答して、条件付きPSCell changeの実行（又は開始）の表示を現在（つまり、変更前）のPSCell（又はSCG SCell）においてSN２に直接的に送信する。
【００７２】
本実施形態で説明されたMN１、SN２、及びUE３の動作によれば、SN２とUE３との間のRRCシグナリングがMN１を介して行われる条件付きPSCell変更の実行条件の成立（又は条件付きPSCell変更の開始）を知ることをSN２に可能にできる。
【００７３】
さらに、本実施形態では、条件付きPSCell changeの実行（又は開始）の表示が、UE３からSN２へMN１を経由せずに直接的に送信される。このことは、MN１を経由することに起因する遅延を回避でき、したがって当該表示をUE３からSN２に送る際の遅延を低減できる。
【００７４】
条件付きPSCell changeの実行（又は開始）の表示は、RRCレイヤよりも下位のレイヤのシグナリングを用いて送信されてもよい。より具体的には、当該表示は、MACレイヤ又は物理レイヤのシグナリングを用いて送信されてもよい。当該表示は、Physical Uplink Control Channel（PUCCH）で送信されるアップリンク制御情報（Uplink Control Information（UCI））であってもよい。これに代えて、当該表示は、MAC Control Element（CE）であってもよい。
【００７５】
RRCレイヤよりも下位のレイヤ（e.g., MACレイヤ、物理レイヤ）のシグナリングを用いた条件付きモビリティの実行（又は開始）の表示の送信は、条件付きPSCell Change のためにSN initiated SN Modification with MN involvement手順が使用されるケースにおいて特に有効である。SN initiated SN Modification with MN involvementでは、条件付きモビリティ（e.g., 条件付きPSCell change）のためのRRCシグナリングが
MCG SRBを介して送信される。したがって、UE３からSN２へのRRCシグナリングの送信は、MN１を経由することに起因する遅延が生じる。これとは対照的に、UE３からSN２へのMACレイヤ又は物理レイヤのシグナリングは、SN２によって提供されるセルの物理チャネルを介してSN２に直接的に送信できる。したがって、UE３は、RRCレイヤよりも下位のレイヤ（e.g., MACレイヤ、物理レイヤ）のシグナリングを用いて条件付きモビリティ実行の表示を送信することによって、当該表示をUE３からSN２に送る際の遅延を低減できる。
【００７６】
SN２は、条件付きPSCell changeの実行（又は開始）の表示に用いられる無線リソースの設定を予め決定し、これをUE３に通知してもよい。当該通知は、MN１を介して行われるRRCレイヤシグナリングで送信されてもよい。
【００７７】
複数の候補ターゲットセルがある場合、条件付きPSCell changeの実行（又は開始）の表示は、選択された候補ターゲットセル（つまり、PSCell Changeがトリガーされた候補ターゲットセル）を明示的又は暗示的に示す情報を含んでもよい。
【００７８】
本実施形態のシグナリングは、これには限定されないが例えば図７に従って行われてもよい。図７は、条件付きPSCell Changeのためのシグナリングの一例を示している。図７の例では、は、MR-DCでのPSCell ChangeにMN１（e.g., Master eNB（MeNB））が関与（involve）する。すなわち、図２の例では、PSCell ChangeのためにSN２（e.g., Secondary gNB（SgNB））とUE３との間で送信されるRRCシグナリングは、MN１によって提供されるMCG内のSRB（e.g., SRB1）を使用する。
【００７９】
図７のステップ７０１及び７０２の処理は、図２のステップ２０１及び２０２のそれと同様である。
【００８０】
ステップ７０３では、UE３は、SN２宛てのSN RATのRRC応答メッセージ（e.g., NR RRC Reconfiguration Completeメッセージ）を包含するMN RATのRRCメッセージ（e.g., LTE RRC Connection Reconfiguration Completeメッセージ）をMN１に送信する。
【００８１】
ステップ７０４では、MN１は、SN MODIFICATION CONFIRMメッセージによりSN２に応答する。当該SN MODIFICATION CONFIRMメッセージは、UE３から受信したSN RATのRRC応答メッセージ（e.g., RRC Reconfiguration Completeメッセージ）を包含する。
【００８２】
UE３は、RRCメッセージ（ステップ７０２）の受信後も現在（つまり変更前）のPSCellの設定を維持し、当該PSCellを使用する。UE３は、SN RATのRRCメッセージ（ステップ７０２）により設定された条件付きPSCell change（i.e., 条件付きReconfiguration with sync）の実行条件が成立したことに応じて（ステップ７０５）、条件付きモビリティ（i.e., 条件付きPSCell Change）の実行又は開始を示す表示（又は報告）を現在のPSCell（又はSCG SCell）においてSN２に直接的に送信する。上述のように、当該表示（又は報告）の送信は、RRCレイヤよりも下位のレイヤ（e.g., MACレイヤ、物理レイヤ）のシグナリングを使用してもよい。そして、UE３は、新たなPSCell設定を適用し、ターゲットPSCellへのアクセス（i.e., ランダムアクセス手順）を開始する。
【００８３】
SN２は、表示（又は報告）（ステップ７０６）の受信に応答して、変更前のPSCellを介するUE３へのダウンリンクデータ転送を停止してもよい。言い換えると、UE３からの表示（又は報告）（ステップ７０６）は、変更前のPSCellを介するUE３へのダウンリンクデータ転送を停止するようSN２をトリガーしてもよい。これにより、SN２は、条件付きPSCell changeの開始（又は実行）の直前まで現在（つまり、変更前）のPSCell（及びSCG SCell(s)）においてUE３のためのデータ伝送（ダウンリンク、又はアップリンク、又は両方）を継続できる。
【００８４】
幾つかの実装では、SN２（e.g., gNB）にC-RAN配置が適用され、SN２（e.g., gNB）は、CU（e.g., gNB-CU）及び１又はそれ以上のDU（e.g., gNB-DU）を含んでもよい。本実施形態における条件付きPSCell changeは、SN２の異なるDU間のPSCell change（e.g., intra-gNB-CU inter-gNB-DU PSCell change）に適用されてもよい。この場合、UE３はSN RATのRRCメッセージにより設定された条件付きPSCell change（i.e., 条件付きReconfiguration with sync）の実行条件が成立したことに応じて、条件付きモビリティ（i.e., 条件付きPSCell Change）の実行又は開始を示す表示（又は報告）を現在のPSCellにて、ソースDU（e.g., gNB-DU）に直接的に送信してもよい。ソースDU（e.g., gNB-DU）は、当該表示（又は報告）の受信に応答して、CU（e.g., gNB-CU）に、UEにおいて条件付きモビリティが実行されたこと又は開始されたことを通知してもよい。ソースDU（e.g., gNB-DU）は、当該通知を、F1メッセージのIEで行ってもよいし、CUからDUへのRRCコンテナ（e.g., DU To CU RRC Information）に包含されるRRC 情報（e.g., IE, message）で行ってもよい。
【００８５】
続いて以下では、上述の複数の実施形態に係るMN１、SN２、SN２及びUE３の構成例について説明する。図８は、上述の実施形態に係るSN２の構成例を示すブロック図である。MN１の構成も、図８に示された構成と同様であってもよい。図８を参照すると、SN２は、Radio Frequencyトランシーバ８０１、ネットワークインターフェース８０３、プロセッサ８０４、及びメモリ８０５を含む。RFトランシーバ８０１は、UE３を含むUEsと通信するためにアナログRF信号処理を行う。RFトランシーバ８０１は、複数のトランシーバを含んでもよい。RFトランシーバ８０１は、アンテナアレイ８０２及びプロセッサ８０４と結合される。RFトランシーバ８０１は、変調シンボルデータをプロセッサ８０４から受信し、送信RF信号を生成し、送信RF信号をアンテナアレイ８０２に供給する。また、RFトランシーバ８０１は、アンテナアレイ８０２によって受信された受信RF信号に基づいてベースバンド受信信号を生成し、これをプロセッサ８０４に供給する。RFトランシーバ８０１は、ビームフォーミングのためのアナログビームフォーマ回路を含んでもよい。アナログビームフォーマ回路は、例えば複数の移相器及び複数の電力増幅器を含む。
【００８６】
ネットワークインターフェース８０３は、ネットワークノード（e.g., MN１、並びにコアネットワークの制御ノード及び転送ノード）と通信するために使用される。ネットワークインターフェース８０３は、例えば、IEEE 802.3 seriesに準拠したネットワークインターフェースカード（NIC）を含んでもよい。
【００８７】
プロセッサ８０４は、無線通信のためのデジタルベースバンド信号処理（データプレーン処理）とコントロールプレーン処理を行う。プロセッサ８０４は、複数のプロセッサを含んでもよい。例えば、プロセッサ８０４は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）又はMicro Processing Unit（MPU））を含んでもよい。プロセッサ８０４は、ビームフォーミングのためのデジタルビームフォーマ・モジュールを含んでもよい。デジタルビームフォーマ・モジュールは、Multiple Input Multiple Output（MIMO）エンコーダ及びプリコーダを含んでもよい。
【００８８】
メモリ８０５は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ８０５は、プロセッサ８０４から離れて配置されたストレージを含んでもよい。この場合、プロセッサ８０４は、ネットワークインターフェース８０３又は図示されていないI/Oインタフェースを介してメモリ８０５にアクセスしてもよい。
【００８９】
メモリ８０５は、上述の複数の実施形態で説明されたSN２による処理を行うための命令群およびデータを含む１又はそれ以上のソフトウェアモジュール（コンピュータプログラム）８０６を格納してもよい。いくつかの実装において、プロセッサ８０４は、当該ソフトウェアモジュール８０６をメモリ８０５から読み出して実行することで、上述の実施形態で説明されたSN２の処理を行うよう構成されてもよい。
【００９０】
なお、SN２がCU（e.g., eNB-CU又はgNB-CU）である場合、SN２は、RFトランシーバ８０１（及びアンテナアレイ８０２）を含まなくてもよい。
【００９１】
図９は、UE３の構成例を示すブロック図である。Radio Frequency（RF）トランシーバ９０１は、MN１及びSN２と通信するためにアナログRF信号処理を行う。RFトランシーバ９０１は、複数のトランシーバを含んでもよい。RFトランシーバ９０１により行われるアナログRF信号処理は、周波数アップコンバージョン、周波数ダウンコンバージョン、及び増幅を含む。RFトランシーバ９０１は、アンテナアレイ９０２及びベースバンドプロセッサ９０３と結合される。RFトランシーバ９０１は、変調シンボルデータ（又はOFDMシンボルデータ）をベースバンドプロセッサ９０３から受信し、送信RF信号を生成し、送信RF信号をアンテナアレイ９０２に供給する。また、RFトランシーバ９０１は、アンテナアレイ９０２によって受信された受信ＲＦ信号に基づいてベースバンド受信信号を生成し、これをベースバンドプロセッサ９０３に供給する。RFトランシーバ９０１は、ビームフォーミングのためのアナログビームフォーマ回路を含んでもよい。アナログビームフォーマ回路は、例えば複数の移相器及び複数の電力増幅器を含む。
【００９２】
ベースバンドプロセッサ９０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００９３】
例えば、ベースバンドプロセッサ９０３によるデジタルベースバンド信号処理は、Service Data Adaptation Protocol（SDAP）レイヤ、Packet Data Convergence Protocol（PDCP）レイヤ、Radio Link Control（RLC）レイヤ、MACレイヤ、およびPHYレイヤの信号処理を含んでもよい。また、ベースバンドプロセッサ９０３によるコントロールプレーン処理は、Non-Access Stratum（NAS）プロトコル、RRCプロトコル、及びMAC CEの処理を含んでもよい。
【００９４】
ベースバンドプロセッサ９０３は、ビームフォーミングのためのMIMOエンコーディング及びプリコーディングを行ってもよい。
【００９５】
ベースバンドプロセッサ９０３は、デジタルベースバンド信号処理を行うモデム・プロセッサ（e.g., DSP）とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ９０４と共通化されてもよい。
【００９６】
アプリケーションプロセッサ９０４は、CPU、MPU、マイクロプロセッサ、又はプロセッサコアとも呼ばれる。アプリケーションプロセッサ９０４は、複数のプロセッサ（複数のプロセッサコア）を含んでもよい。アプリケーションプロセッサ９０４は、メモリ９０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE３の各種機能を実現する。
【００９７】
幾つかの実装において、図９に破線（９０５）で示されているように、ベースバンドプロセッサ９０３及びアプリケーションプロセッサ９０４は、１つのチップ上に集積されてもよい。言い換えると、ベースバンドプロセッサ９０３及びアプリケーションプロセッサ９０４は、１つのSystem on Chip（SoC）デバイス９０５として実装されてもよい。SoCデバイスは、システムLarge Scale Integration（LSI）またはチップセットと呼ばれることもある。
【００９８】
メモリ９０６は、揮発性メモリ若しくは不揮発性メモリ又はこれらの組合せである。メモリ９０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ９０６は、ベースバンドプロセッサ９０３、アプリケーションプロセッサ９０４、及びSoC９０５からアクセス可能な外部メモリデバイスを含んでもよい。メモリ９０６は、ベースバンドプロセッサ９０３内、アプリケーションプロセッサ９０４内、又はSoC９０５内に集積された内蔵メモリデバイスを含んでもよい。さらに、メモリ９０６は、Universal Integrated Circuit Card（UICC）内のメモリを含んでもよい。
【００９９】
メモリ９０６は、上述の複数の実施形態で説明されたUE３による処理を行うための命令群およびデータを含む１又はそれ以上のソフトウェアモジュール（コンピュータプログラム）９０７を格納してもよい。幾つかの実装において、ベースバンドプロセッサ９０３又はアプリケーションプロセッサ９０４は、当該ソフトウェアモジュール９０７をメモリ９０６から読み出して実行することで、上述の実施形態で図面を用いて説明されたUE３の処理を行うよう構成されてもよい。
【０１００】
なお、上述の実施形態で説明されたUE３によって行われるコントロールプレーン処理及び動作は、RFトランシーバ９０１及びアンテナアレイ９０２を除く他の要素、すなわちベースバンドプロセッサ９０３及びアプリケーションプロセッサ９０４の少なくとも一方とソフトウェアモジュール９０７を格納したメモリ９０６とによって実現されることができる。
【０１０１】
図８及び図９を用いて説明したように、上述の実施形態に係るMN１、SN２、及びUE３が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０２】
＜その他の実施形態＞
上述の実施形態は、各々独立に実施されてもよいし、実施形態全体又はその一部が適宜組み合わせて実施されてもよい。例えば、第３の実施形態は、第１及び第２の実施形態と独立に実施されることができ、第１及び第２の実施形態とは異なる目的又は課題を解決することに寄与し、第１及び第２の実施形態とは異なる効果を奏することに寄与する。
【０１０３】
上述の実施形態で条件付き（Conditional）PSCell changeとして説明された機能は、事前条件設定（pre-conditioned）PSCell change、事前準備（prepared）PSCell change、又は遅延型（delayed）PSCell changeなどと呼ばれてもよい。
【０１０４】
上述の実施形態において、UE３は、MN RAT（e.g., LTE）のRRCメッセージ（e.g., LTE RRCConnectionReconfiguration）で受信したSN RAT（e.g., NR）のRRCメッセージ（e.g., NR RRCReconfiguration）に対する応答のRRCメッセージ（e.g., RRCReconfigurationComplete）の生成及び送信を、次のように実行してもよい。UE３のMN RATのRRCレイヤは、MN RATのRRCメッセージの中にSN RATのRRCメッセージが包含されていることを検出すると、それをSN RATのRRCレイヤへ渡す。UE３のSN RATのRRCレイヤは、当該SN RATのRRCメッセージを復号し、条件付きPSCell changeであることを検出すると、当該条件付きPSCell changeのための実行条件が満たされるか否かを判定する。SN RATのRRCレイヤは、条件付きPSCell changeのための実行条件が満たされた場合、SN RATの応答RRCメッセージ（e.g., RRCReconfigurationComplete）を生成し、これをMN RATのRRCレイヤへ渡す。MN RATのRRCレイヤは、SN RATのRRCレイヤから渡された応答RRCメッセージを包含するMN RATのRRCメッセージ（e.g., RRCConnectionReconfigurationComplete）を生成し、これをMN１へ送信する。そして、MN１はSN RATの応答RRCメッセージをSN２へ転送する。
【０１０５】
一方、UE３のSN RATのRRCレイヤは、条件付きPSCell changeを離れる（exit）条件が満たされた場合、又は有効（validity）タイマが満了した場合、条件付きPSCell changeが成功裏に終わらなかったことを示す情報を含む応答RRCメッセージ（e.g., RRCReconfigurationComplete）を生成し、それをMN RATのRRCレイヤへ渡してもよい。MN RATのRRCレイヤは、SN RATのRRCレイヤから渡された応答RRCメッセージを包含するMN RATのRRCメッセージ（e.g., RRCConnectionReconfigurationComplete）を生成し、これをMN１へ送信する。そして、MN１はSN RATの応答RRCメッセージをSN２へ転送する。なお、複数の候補ターゲットセルがある場合（つまりターゲットPSCellの候補が複数ある場合）、SN RATのRRCレイヤは、いずれか１つの候補ターゲットセルに対する条件付きPSCell changeを離れる条件が満たされた場合又は有効タイマが満了した時点でこの動作を行ってもよい。これに代えて、SN RATのRRCレイヤは、すべての候補ターゲットセルに対する条件付きPSCell changeを離れる条件が満たされた場合又は有効タイマが満了した時点でこの動作を実行してもよい。
【０１０６】
上述した実施形態における条件付きPSCell changeにおいて、UE３は条件付きPSCell changeに関するタイマT30xを次のように取り扱ってもよい。通常のPSCell changeにおいて、UE３はPSCell changeの指示のRRCメッセージ（e.g., RRC Reconfiguration including reconfigurationWithSync）を受信すると、タイマT304をスタートする。これに代えて、条件付きPSCell changeにおいて、UE３は条件付きPSCell changeの指示のRRCメッセージ（e.g., RRC Reconfiguration including reconfigurationWithSync for Conditional PSCell change）を受信しても、すぐにタイマT30xをスタートしなくてよい。UE３は、ある候補ターゲットセルに対する条件付きPSCell changeの条件が満たされると、当該候補ターゲットセルに対応するタイマT30xをスタートする。そして、UE３は、当該候補ターゲットセル（e.g., SpCell）におけるランダムアクセスが成功するとタイマT30xをストップする。なお、従来のT304が当該T30xとして使用されもよいし、新たなタイマがT30xとして規定されてもよい。
【０１０７】
本明細書における無線端末（User Equipment（UE））は、無線インターフェースを介して、ネットワークに接続されるエンティティである。本明細書の無線端末（UE）は、専用の通信装置に限定されるものではなく、本明細書中に記載された無線端末（UE）の通信機能を有する次のような任意の機器であってもよい。
【０１０８】
「（3GPPで使われる単語としての）ユーザー端末（User Equipment（UE））」、「移動局（mobile station）」、「移動端末（mobile terminal）」、「モバイルデバイス（mobile device）」、及び「無線端末（wireless device）」との用語は、一般的に互いに同義であることが意図されている。UEは、ターミナル、携帯電話、スマートフォン、タブレット、セルラIoT端末、IoTデバイス、などのスタンドアローン移動局であってもよい。「UE」及び「無線端末」との用語は、長期間にわたって静止している装置も包含する。
【０１０９】
UEは、例えば、生産設備・製造設備および／またはエネルギー関連機械（一例として、ボイラー、機関、タービン、ソーラーパネル、風力発電機、水力発電機、火力発電機、原子力発電機、蓄電池、原子力システム、原子力関連機器、重電機器、真空ポンプなどを含むポンプ、圧縮機、ファン、送風機、油圧機器、空気圧機器、金属加工機械、マニピュレータ、ロボット、ロボット応用システム、搬送装置、昇降装置、貨物取扱装置、繊維機械、縫製機械、印刷機、印刷関連機械、紙工機械、化学機械、鉱山機械、鉱山関連機械、建設機械、建設関連機械、農業用機械および／または器具、林業用機械および／または器具、漁業用機械および／または器具、安全および／または環境保全器具、トラクター、動力伝動装置、および／または上記で述べた任意の機器又は機械のアプリケーションシステムなど）であってもよい。
【０１１０】
UEは、例えば、輸送用装置（一例として、車両、自動車、二輪自動車、自転車、列車、バス、リヤカー、人力車、船舶（ship and other watercraft）、飛行機、ロケット、人工衛星、ドローン、気球など）であってもよい。
【０１１１】
UEは、例えば、情報通信用装置（一例として、電子計算機及び関連装置、通信装置及び関連装置、電子部品など）であってもよい。
【０１１２】
UEは、例えば、商業およびサービス用機器、自動販売機、自動サービス機、事務用機械及び装置、民生用電気・電子機械器具（一例として音声機器、スピーカー、ラジオ、映像機器、テレビなど）であってもよい。
【０１１３】
UEは、例えば、電子応用システムまたは電子応用装置（一例として、X線装置、粒子加速装置、放射性物質応用装置、音波応用装置、電磁応用装置、電力応用装置など）であってもよい。
【０１１４】
UEは、例えば、電球、照明、計量機、分析機器、試験機及び計測機械（一例として、煙報知器、対人警報センサ、動きセンサ、無線タグなど）、時計（watchまたはclock）、理化学機械、光学機械、医療用機器および／または医療用システム、武器、利器工匠具、または手道具であってもよい。
【０１１５】
UEは、例えば、無線通信機能を備えたパーソナルデジタルアシスタントまたは装置（一例として、無線カードや無線モジュールなどを取り付けられる、もしくは挿入するよう構成された電子装置（例えば、パーソナルコンピュータや電子計測器など））であってもよい。
【０１１６】
UEは、例えば、有線や無線通信技術を使用した「あらゆるモノのインターネット（IoT：Internet of Things）」において、以下のアプリケーション、サービス、ソリューションを提供する装置またはその一部であってもよい。IoTデバイス（もしくはモノ）は、デバイスが互いに、および他の通信デバイスとの間で、データ収集およびデータ交換することを可能にする適切な電子機器、ソフトウェア、センサー、ネットワーク接続、などを備える。IoTデバイスは、内部メモリの格納されたソフトウェア指令に従う自動化された機器であってもよい。IoTデバイスは、人間による監督または対応を必要とすることなく動作してもよい。IoTデバイスは、長期間にわたって備え付けられている装置および／または、長期間に渡って非活性状態（inactive）状態のままであってもよい。IoTデバイスは、据え置き型な装置の一部として実装され得る。IoTデバイスは、非据え置き型の装置（例えば車両など）に埋め込まれ得る、または監視される／追跡される動物や人に取り付けられ得る。IoT技術は、人間の入力による制御またはメモリに格納されるソフトウェア命令に関係なくデータを送受信する通信ネットワークに接続されることができる任意の通信デバイス上に実装されることができる。IoTデバイスは、機械型通信（Machine Type Communication、MTC）デバイス、またはマシンツーマシン（Machine to Machine、M2M）通信デバイス、Narrow Band-IoT (NB-IoT) UEと呼ばれることもある。
【０１１７】
UEは、１つまたは複数のIoTまたはMTCアプリケーションをサポートしてもよい。
【０１１８】
MTCアプリケーションのいくつかの例は、3GPP TS22.368 V13.2.0(2017-01-13) Annex B（その内容は参照により本明細書に組み込まれる）に示されたリストに列挙されている。このリストは、網羅的ではなく、一例としてのMTCアプリケーションを示すものである。このリストでは、MTCアプリケーションのサービス範囲 (Service Area)は、セキュリティ (Security)、追跡及びトレース (Tracking & Tracing)、支払い (Payment)、健康 (Health)、リモートメンテナンス／制御 (Remote Maintenance/Control)、計量 (Metering)、及び民生機器 (Consumer Devices)を含む。
【０１１９】
セキュリティに関するMTCアプリケーションの例は、監視システム (Surveillance systems)、固定電話のバックアップ (Backup for landline)、物理アクセスの制御（例えば建物へのアクセス） (Control of physical access (e.g. to buildings))、及び車／運転手のセキュリティ (Car/driver security)を含む。
【０１２０】
追跡及びトレースに関するMTCアプリケーションの例は、フリート管理 (Fleet Management)、注文管理 (Order Management)、テレマティクス保険：走行に応じた課金 (Pay as you drive (PAYD))、資産追跡 (Asset Tracking)、ナビゲーション (Navigation)、交通情報 (Traffic information)、道路料金徴収 (Road tolling)、及び道路通行最適化／誘導 (Road traffic optimisation/steering)を含む。
【０１２１】
支払いに関するMTCアプリケーションの例は、販売時点情報管理 (Point of sales (POS))、自動販売機 (Vending machines)、及び遊戯機 (Gaming machines)を含む。
【０１２２】
健康に関するMTCアプリケーションの例は、生命徴候の監視 (Monitoring vital signs)、高齢者又は障害者支援 (Supporting the aged or handicapped)、ウェブアクセス遠隔医療 (Web Access Telemedicine points)、及びリモート診断 (Remote diagnostics)を含む。
【０１２３】
リモートメンテナンス／制御に関するMTCアプリケーションの例は、センサー (Sensors)、明かり (Lighting)、ポンプ (Pumps)、バルブ (Valves)、エレベータ制御 (Elevator control)、自動販売機制御 (Vending machine control)、及び車両診断 (Vehicle diagnostics)を含む。
【０１２４】
計量に関するMTCアプリケーションの例は、パワー (Power)、ガス (Gas)
水 (Water)、暖房 (Heating)、グリッド制御 (Grid control)、及び産業用メータリング (Industrial metering)を含む。
【０１２５】
民生機器に関するMTCアプリケーションの例は、デジタルフォトフレーム、デジタルカメラ、及び電子ブック (ebook)を含む。
【０１２６】
アプリケーション、サービス、及びソリューションは、一例として、MVNO（Mobile Virtual Network Operator：仮想移動体通信事業者）サービス/システム、防災無線サービス/システム、構内無線電話（PBX（Private Branch eXchange：構内交換機））サービス/システム、PHS/デジタルコードレス電話サービス/システム、Point of sales（POS）システム、広告発信サービス/システム、マルチキャスト（Multimedia Broadcast and Multicast Service（MBMS））サービス/システム、V2X（Vehicle to Everything：車車間通信および路車間・歩車間通信）サービス/システム、列車内移動無線サービス/システム、位置情報関連サービス/システム、災害/緊急時無線通信サービス/システム、IoT（Internet of Things：モノのインターネット）サービス/システム、コミュニティーサービス/システム、映像配信サービス/システム、Femtoセル応用サービス/システム、VoLTE（Voice over LTE）サービス/システム、無線タグ・サービス/システム、課金サービス/システム、ラジオオンデマンドサービス/システム、ローミングサービス/システム、ユーザー行動監視サービス/システム、通信キャリア/通信NW選択サービス/システム、機能制限サービス/システム、PoC（Proof of Concept）サービス/システム、端末向け個人情報管理サービス/システム、端末向け表示・映像サービス/システム、端末向け非通信サービス/システム、アドホックNW/DTN（Delay Tolerant Networking）サービス/システムなどであってもよい。
【０１２７】
上述したUEのカテゴリは、本明細書に記載された技術思想及び実施形態の応用例に過ぎない。本明細書のUEは、これらの例に限定されるものではなく、当業者は種々の変更をこれに行うことができる。
【０１２８】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１２９】
例えば、上記の実施形態の一部又は全部は、以下の付記のようにも記載され得るが、以下には限られない。
【０１３０】
（付記１）
少なくとも１つのメモリと、
前記少なくとも１つのメモリに結合された少なくとも１つのプロセッサと、
を備え、
前記少なくとも１つのプロセッサは、
無線端末のためのデュアルコネクティビティのセカンダリノードとして動作し、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信し、
前記実行条件の成立に応答して前記無線端末から送られる第２のRRCメッセージを前記無線端末から前記マスターノードを介して受信する、
よう構成される、
無線アクセスネットワークノード。
【０１３１】
（付記２）
前記少なくとも１つのプロセッサは、前記第２のRRCメッセージを受信したことによって、前記条件付きプライマリセル変更の開始を検出するよう構成される、
付記１に記載の無線アクセスネットワークノード。
【０１３２】
（付記３）
前記少なくとも１つのプロセッサは、前記第２のRRCメッセージを受信したことに応答して、前記セカンダリセルグループのサービングセルにおける前記無線端末へのダウンリンクデータ転送を停止するよう構成される、
付記１又は２に記載の無線アクセスネットワークノード。
【０１３３】
（付記４）
前記無線アクセスネットワークノードは、基地局の中央ユニットであり、
前記少なくとも１つのプロセッサは、前記第２のRRCメッセージの受信に応答して、前記第１のセルを提供する第１の分散ユニットを介する前記無線端末へのダウンリンクデータ転送を停止するよう構成される、
付記１〜３のいずれか１項に記載の無線アクセスネットワークノード。
【０１３４】
（付記５）
前記少なくとも１つのプロセッサは、さらに、前記第２のRRCメッセージの受信よりも前に、前記無線端末へ送信されていないダウンリンクデータを示す制御メッセージを前記第１の分散ユニットから受信したことに応答して、前記第１の分散ユニットを介する前記無線端末へのダウンリンクデータ転送を停止するよう構成される、
付記４に記載の無線アクセスネットワークノード。
【０１３５】
（付記６）
前記制御メッセージは、DOWNLINK DATA DELIVERY STATUSフレームである、
付記５に記載の無線アクセスネットワークノード。
【０１３６】
（付記７）
無線端末であって、
少なくとも１つのメモリと、
前記少なくとも１つのメモリに結合された少なくとも１つのプロセッサと、
を備え、
前記少なくとも１つのプロセッサは、
マスターノードに関連付けられたマスターセルグループ及びセカンダリノードに関連付けられたセカンダリセルグープのデュアルコネクティビティを行い、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信し、
前記実行条件の成立に応答して、第２のRRCメッセージを前記無線端末から前記マスターノードを介して前記セカンダリノードに送信する、
よう構成される、
無線端末。
【０１３７】
（付記８）
前記第２のRRCメッセージは、前記セカンダリセルグループのサービングセルにおける前記無線端末へのダウンリンクデータ転送を停止するよう前記セカンダリノードをトリガーする、
付記７に記載の無線端末。
【０１３８】
（付記９）
無線アクセスネットワークノードのための方法であって、
無線端末のためのデュアルコネクティビティのセカンダリノードとして動作すること、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
前記実行条件の成立に応答して前記無線端末から送られる第２のRRCメッセージを前記無線端末から前記マスターノードを介して受信すること、
を備える、方法。
【０１３９】
（付記１０）
無線端末のための方法であって、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
前記実行条件の成立に応答して、第２のRRCメッセージを前記無線端末から前記マスターノードを介して前記セカンダリノードに送信すること、
を備える、方法。
【０１４０】
（付記１１）
無線アクセスネットワークノードのための方法をコンピュータに行わせるためのプログラムであって、
前記方法は、
無線端末のためのデュアルコネクティビティのセカンダリノードとして動作すること、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
前記実行条件の成立に応答して前記無線端末から送られる第２のRRCメッセージを前記無線端末から前記マスターノードを介して受信すること、
を備える、
プログラム。
【０１４１】
（付記１２）
無線端末のための方法をコンピュータに行わせるためのプログラムであって、
前記方法は、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
前記実行条件の成立に応答して、第２のRRCメッセージを前記無線端末から前記マスターノードを介して前記セカンダリノードに送信すること、
を備える、
プログラム。
【０１４２】
（付記１３）
少なくとも１つのメモリと、
前記少なくとも１つのメモリに結合された少なくとも１つのプロセッサと、
を備え、
前記少なくとも１つのプロセッサは、
無線端末のためのデュアルコネクティビティのセカンダリノードとして動作し、
第１のセルから第２のセルへのセカンダリセルグループのプライマリセルの条件付きプライマリセル変更の実行条件を示すRadio Resource Control（RRC）メッセージを、前記デュアルコネクティビティのマスターノードを介して前記無線端末に送信し、
前記実行条件の成立に応答して前記無線端末から送られる前記条件付きプライマリセル変更の実行又は開始の表示を、前記第１のセル又は前記セカンダリセルグループのいずれかのセカンダリセルにおいて前記無線端末から直接的に受信する、
よう構成される、
無線アクセスネットワークノード。
【０１４３】
（付記１４）
前記表示は、RRCレイヤよりも下位のレイヤのシグナリングを用いて送信される、
付記１３に記載の無線アクセスネットワークノード。
【０１４４】
（付記１５）
前記シグナリングは、Medium Access Control（MAC）レイヤ又は物理レイヤのシグナリングである、
付記１４に記載の無線アクセスネットワークノード。
【０１４５】
（付記１６）
無線端末であって、
少なくとも１つのメモリと、
前記少なくとも１つのメモリに結合された少なくとも１つのプロセッサと、
を備え、
前記少なくとも１つのプロセッサは、
マスターノードに関連付けられたマスターセルグループ及びセカンダリノードに関連付けられたセカンダリセルグープのデュアルコネクティビティを行い、
第１のセルから第２のセルへのセカンダリセルグループのプライマリセルの条件付きプライマリセル変更の実行条件を示すRadio Resource Control（RRC）メッセージを、前記マスターノードを介して前記セカンダリノードから受信し、
前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信する、
よう構成される、
無線端末。
【０１４６】
（付記１７）
前記少なくとも１つのプロセッサは、前記表示を、RRCレイヤよりも下位のレイヤのシグナリングを用いて送信するよう構成される、
付記１６に記載の無線端末。
【０１４７】
（付記１８）
前記シグナリングは、Medium Access Control（MAC）レイヤ又は物理レイヤのシグナリングである、
付記１７に記載の無線端末。
【０１４８】
（付記１９）
前記セカンダリノードは、中央ユニット及び１又はそれ以上の分散ユニットを含み、
前記少なくとも１つのプロセッサは、前記RRCメッセージを前記中央ユニットから前記マスターノードを介して受信するよう構成され、
前記少なくとも１つのプロセッサは、前記表示を前記第１のセルにおいて前記１又はそれ以上の分散ユニットのうちの１つに送信するよう構成される、
付記１６〜１８のいずれか１項に記載の無線端末。
【０１４９】
（付記２０）
無線アクセスネットワークノードのための方法であって、
無線端末のためのデュアルコネクティビティのセカンダリノードとして動作すること、
第１のセルから第２のセルへのセカンダリセルグループのプライマリセルの条件付きプライマリセル変更の実行条件を示すRadio Resource Control（RRC）メッセージを、前記デュアルコネクティビティのマスターノードを介して前記無線端末に送信すること、及び
前記実行条件の成立に応答して前記無線端末から送られる前記条件付きプライマリセル変更の実行又は開始の表示を、前記第１のセル又は前記セカンダリセルグループのいずれかのセカンダリセルにおいて前記無線端末から直接的に受信すること、
を備える、方法。
【０１５０】
（付記２１）
無線端末のための方法であって、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示すRadio Resource Control（RRC）メッセージを、前記マスターノードを介して前記セカンダリノードから受信すること、及び
前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信すること、
を備える、方法。
【０１５１】
（付記２２）
無線アクセスネットワークノードのための方法をコンピュータに行わせるためのプログラムであって、
前記方法は、
無線端末のためのデュアルコネクティビティのセカンダリノードとして動作すること、
第１のセルから第２のセルへのセカンダリセルグループのプライマリセルの条件付きプライマリセル変更の実行条件を示すRadio Resource Control（RRC）メッセージを、前記デュアルコネクティビティのマスターノードを介して前記無線端末に送信すること、及び
前記実行条件の成立に応答して前記無線端末から送られる前記条件付きプライマリセル変更の実行又は開始の表示を、前記第１のセル又は前記セカンダリセルグループのいずれかのセカンダリセルにおいて前記無線端末から直接的に受信すること、
を備える、
プログラム。
【０１５２】
（付記２３）
無線端末のための方法をコンピュータに行わせるためのプログラムであって、
前記方法は、
マスターノードに関連付けられたマスターセルグループ及びセカンダリノードに関連付けられたセカンダリセルグープのデュアルコネクティビティを行うこと、
第１のセルから第２のセルへのセカンダリセルグループのプライマリセルの条件付きプライマリセル変更の実行条件を示すRadio Resource Control（RRC）メッセージを、前記マスターノードを介して前記セカンダリノードから受信すること、及び
前記実行条件の成立に応答して、前記条件付きプライマリセル変更の実行又は開始の表示を、前記第１のセル又は前記セカンダリセルグループのいずれかのセカンダリセルにおいて前記セカンダリノードに直接的に送信すること、
を備える、
プログラム。
【０１５３】
この出願は、２０１９年１月１１日に出願された日本出願特願２０１９−００３５６３を基礎とする優先権を主張し、その開示の全てをここに取り込む。
【符号の説明】
【０１５４】
１  マスターノード（Master Node（MN））
２  セカンダリノード（Secondary Node（SN））
３  User Equipment（UE）
２１  中央ユニット（Central Unit（CU））
２２  分散ユニット（Distributed Unit（DU））
８０４  プロセッサ
８０５  メモリ
８０６  モジュール（modules）
９０３  ベースバンドプロセッサ
９０４  アプリケーションプロセッサ
９０６  メモリ
９０７  モジュール（modules）
【図１】
2020144919.tif 000003
【図２】
2020144919.tif 000004
【図３】
2020144919.tif 000005
【図４】
2020144919.tif 000006
【図５】
2020144919.tif 000007
【図６】
2020144919.tif 000008
【図７】
2020144919.tif 000009
【図８】
2020144919.tif 000010
【図９】
2020144919.tif 000011
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
少なくとも１つのメモリと、
前記少なくとも１つのメモリに結合された少なくとも１つのプロセッサと、
を備え、
前記少なくとも１つのプロセッサは、
無線端末のためのデュアルコネクティビティのセカンダリノードとして動作し、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信し、
前記実行条件の成立に応答して前記無線端末から送られる第２のRRCメッセージを前記無線端末から前記マスターノードを介して受信する、
よう構成される、
無線アクセスネットワークノード。
【請求項２】
前記少なくとも１つのプロセッサは、前記第２のRRCメッセージを受信したことによって、前記条件付きプライマリセル変更の開始を検出するよう構成される、
請求項１に記載の無線アクセスネットワークノード。
【請求項３】
前記少なくとも１つのプロセッサは、前記第２のRRCメッセージを受信したことに応答して、前記セカンダリセルグループのサービングセルにおける前記無線端末へのダウンリンクデータ転送を停止するよう構成される、
請求項１又は２に記載の無線アクセスネットワークノード。
【請求項４】
前記無線アクセスネットワークノードは、基地局の中央ユニットであり、
前記少なくとも１つのプロセッサは、前記第２のRRCメッセージの受信に応答して、前記第１のセルを提供する第１の分散ユニットを介する前記無線端末へのダウンリンクデータ転送を停止するよう構成される、
請求項１〜３のいずれか１項に記載の無線アクセスネットワークノード。
【請求項５】
前記少なくとも１つのプロセッサは、さらに、前記第２のRRCメッセージの受信よりも前に、前記無線端末へ送信されていないダウンリンクデータを示す制御メッセージを前記第１の分散ユニットから受信したことに応答して、前記第１の分散ユニットを介する前記無線端末へのダウンリンクデータ転送を停止するよう構成される、
請求項４に記載の無線アクセスネットワークノード。
【請求項６】
前記制御メッセージは、DOWNLINK DATA DELIVERY STATUSフレームである、
請求項５に記載の無線アクセスネットワークノード。
【請求項７】
無線端末であって、
少なくとも１つのメモリと、
前記少なくとも１つのメモリに結合された少なくとも１つのプロセッサと、
を備え、
前記少なくとも１つのプロセッサは、
マスターノードに関連付けられたマスターセルグループ及びセカンダリノードに関連付けられたセカンダリセルグループのデュアルコネクティビティを行い、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信し、
前記実行条件の成立に応答して、第２のRRCメッセージを前記無線端末から前記マスターノードを介して前記セカンダリノードに送信する、
よう構成される、
無線端末。
【請求項８】
前記第２のRRCメッセージは、前記セカンダリセルグループのサービングセルにおける前記無線端末へのダウンリンクデータ転送を停止するよう前記セカンダリノードをトリガーする、
請求項７に記載の無線端末。
【請求項９】
無線アクセスネットワークノードのための方法であって、
無線端末のためのデュアルコネクティビティのセカンダリノードとして動作すること、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
前記実行条件の成立に応答して前記無線端末から送られる第２のRRCメッセージを前記無線端末から前記マスターノードを介して受信すること、
を備える、方法。
【請求項１０】
無線端末のための方法であって、
マスターノードに関連付けられたマスターセルグループ及びセカンダリノードに関連付けられたセカンダリセルグループのデュアルコネクティビティを行うこと、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
前記実行条件の成立に応答して、第２のRRCメッセージを前記無線端末から前記マスターノードを介して前記セカンダリノードに送信すること、
を備える、方法。
【請求項１１】
無線アクセスネットワークノードのための方法をコンピュータに行わせるためのプログラムであって、
前記方法は、
無線端末のためのデュアルコネクティビティのセカンダリノードとして動作すること、
第１のセルから第２のセルへのセカンダリセルグループのプライマリセルの条件付きプライマリセル変更の実行条件を示す第１のRadio Resource Control（RRC）メッセージを、前記デュアルコネクティビティのマスターノードを介して前記無線端末に送信すること、及び
前記実行条件の成立に応答して前記無線端末から送られる第２のRRCメッセージを前記無線端末から前記マスターノードを介して受信すること、
を備える、
プログラム。
【請求項１２】
無線端末のための方法をコンピュータに行わせるためのプログラムであって、
前記方法は、
マスターノードに関連付けられたマスターセルグループ及びセカンダリノードに関連付けられたセカンダリセルグループのデュアルコネクティビティを行うこと、
第１のセルから第２のセルへのセカンダリセルグループのプライマリセルの条件付きプライマリセル変更の実行条件を示す第１のRadio Resource Control（RRC）メッセージを、前記マスターノードを介して前記セカンダリノードから受信すること、及び
前記実行条件の成立に応答して、第２のRRCメッセージを前記無線端末から前記マスターノードを介して前記セカンダリノードに送信すること、
を備える、
プログラム。
【請求項１３】
無線端末のためのデュアルコネクティビティのマスターノードとして動作すること、
第１のセルから第２のセルへのセカンダリセルグループのプライマリセルの条件付きプライマリセル変更の実行条件を示す第１のRadio Resource Control（RRC）メッセージを、前記デュアルコネクティビティのセカンダリノードから受信すること、
前記第１のRRCメッセージを前記無線端末にフォワードすること、
前記実行条件の成立に応答して前記無線端末から送られる第２のRRCメッセージを受信すること、及び
前記第２のRRCメッセージを前記セカンダリノードに送信すること、
を備える、方法。
【国際調査報告】
2020144919.tif 000012
2020144919.tif 000013